(57)【要約】【課題】簡単で且つ安価な棟換気構造を得る。【解決手段】棟換気構造４０は、一対の屋根瓦１０と換気通路４５と棟瓦４１と水進入抑制部材４４とを備える。一対の屋根瓦１０は、屋根１の稜線部で対向して配置される。換気通路４５は、一対の屋根瓦１０の間に区画されて屋根裏空間７と連通する。棟瓦４１は、一対の屋根瓦１０からそれぞれ立ち上がる一対の側壁４３とこれら側壁４３に形成された通気孔４７とを有し、一対の屋根瓦１０に跨って配置されて換気通路４５を上方から覆う。水進入抑制部材４４は、棟瓦４１の内側空間４６内で通気孔４７と対向し且つ側壁４３から離間して屋根瓦１０に固定され、通気孔４７から換気通路４５への水の進入を抑制する。【選択図】図３
2008019638.tif 000002
【特許請求の範囲】
【請求項１】
瓦屋根の稜線部で対向して配置される一対の屋根瓦と、
前記一対の屋根瓦の間に区画されて屋根裏空間と連通する換気通路と、
前記一対の屋根瓦からそれぞれ立ち上がる一対の側壁と該側壁の少なくとも一方に形成された通気孔とを有し、前記一対の屋根瓦に跨って配置されて前記換気通路を上方から覆う棟瓦と、
前記棟瓦の内部で前記通気孔と対向し且つ前記側壁から離間して前記屋根瓦に固定され、前記通気孔から前記換気通路への水の進入を抑制する水進入抑制部材と、
を備えたことを特徴とする棟換気構造。
【請求項２】
瓦屋根の稜線部から傾斜する野地板と、
前記野地板上に配置される多数の屋根瓦と、
前記屋根瓦のうち前記稜線部で対向する最上部の一対の屋根瓦の間に区画されて屋根裏空間と連通する換気通路と、
前記一対の屋根瓦からそれぞれ立ち上がる一対の側壁と該側壁の少なくとも一方に形成された通気孔とを有し、前記一対の屋根瓦に跨って配置されて前記換気通路を上方から覆う棟瓦と、
前記棟瓦の内部で前記通気孔と対向し且つ前記側壁から離間して前記屋根瓦に固定され、前記通気孔から前記換気通路への水の進入を抑制する水進入抑制部材と、
前記瓦屋根の傾斜方向に沿って前記屋根瓦と前記野地板との間に形成され、前記換気通路と連通する空間部と、
前記野地板の軒端に固定され、前記屋根瓦のうち前記瓦屋根の傾斜方向最下列の屋根瓦を下方から支持する鼻桟と、
前記鼻桟の外側面上に固定され、前記傾斜方向最下列の屋根瓦の下面に沿った上縁部を有する板状の面戸と、を備え、
前記鼻桟は、前記瓦屋根の傾斜方向に延びて貫通する通気路を有し、
前記面戸は、前記通気路を開口し、前記最下列の屋根瓦と前記野地板との間の前記空間部を前記通気路を介して外部に連通する開口孔を有する
ことを特徴とする瓦屋根の通気構造。
【発明の詳細な説明】
【技術分野】
【０００１】
本発明は、瓦屋根の棟換気構造及び通気構造に関する。
【背景技術】
【０００２】
住宅等の建物の瓦屋根の稜線部内には、一般に棟換気装置が設けられている。
【０００３】
【特許文献１】特開２００４−１６９２９７号公報
【特許文献２】特開平１１−１７２８５８号公報
【発明の開示】
【発明が解決しようとする課題】
【０００４】
しかし、従来の棟換気装置は、その構造が複雑であり、コスト面においても負担が大きい。
【０００５】
そこで、本発明は、簡単で且つ安価な棟換気構造の提供を目的とする。
【課題を解決するための手段】
【０００６】
上記課題を解決するため、本発明に係る棟換気構造は、一対の屋根瓦と、換気通路と、棟瓦と、水進入抑制部材とを備える。
【０００７】
一対の屋根瓦は、瓦屋根の稜線部で対向して配置される。換気通路は、一対の屋根瓦の間に区画されて屋根裏空間と連通する。棟瓦は、一対の屋根瓦からそれぞれ立ち上がる一対の側壁とこれら側壁の少なくとも一方に形成された通気孔とを有し、一対の屋根瓦に跨って配置されて換気通路を上方から覆う。水進入抑制部材は、棟瓦の内部で通気孔と対向し且つ側壁から離間して屋根瓦に固定され、通気孔から換気通路への水の進入を抑制する。
【０００８】
上記構成では、棟瓦の内側空間が通気孔を介して外部と連通することにより、棟換気が行われる。また、棟瓦の内部で通気孔と対向し且つ側壁から離間して屋根瓦に固定され、通気孔から換気通路への水の進入を抑制する水進入抑制部材を設けたので、雨水等が通気孔から換気通路を介して屋根裏空間へ浸入することを抑制することができる。
【０００９】
すなわち、棟瓦の側壁に通気孔を形成し、棟瓦の内部に水進入抑制部材を設けるという簡単で安価な構造によって、棟換気を良好に行うことができる。
【００１０】
また、本発明に係る通気構造は、野地板と多数の屋根瓦と換気通路と棟瓦と水進入抑制部材と空間部と鼻桟と面戸とを備える。
【００１１】
野地板は、瓦屋根の稜線部から傾斜し、多数の屋根瓦は、野地板上に配置される。換気通路は、屋根瓦のうち稜線部で対向する最上部の一対の屋根瓦の間に区画されて屋根裏空間と連通する。棟瓦は、最上部の一対の屋根瓦からそれぞれ立ち上がる一対の側壁とこの側壁の少なくとも一方に形成された通気孔とを有し、最上部の一対の屋根瓦に跨って配置されて換気通路を上方から覆う。水進入抑制部材は、棟瓦の内部で通気孔と対向し且つ側壁から離間して屋根瓦に固定され、通気孔から換気通路への水の進入を抑制する。空間部は、瓦屋根の傾斜方向に沿って屋根瓦と野地板との間に形成され、換気通路と連通する。鼻桟は、野地板の軒端に固定され、屋根瓦のうち瓦屋根の傾斜方向最下列の屋根瓦を下方から支持する。面戸は、鼻桟の外側面上に固定され、傾斜方向最下列の屋根瓦の下面に沿った上縁部を有する。
【００１２】
鼻桟は、瓦屋根の傾斜方向に延びて貫通する通気路を有する。面戸は、通気路を開口し、傾斜方向最下列の屋根瓦と野地板との間の空間部を通気路を介して外部に連通する開口孔を有する。
【００１３】
上記構成の通気構造は、上記棟換気構造を有しているので、上述のように、簡単で安価な構造によって、棟換気を良好に行うことができる。
【００１４】
また、屋根瓦と野地板と間の空間部は、その上端で換気通路と連通し、その下端で鼻桟の通気路及び面戸の開口孔によって外部と連通する。すなわち、空間部は、瓦屋根の軒先において塞がれることなく、鼻桟の通気路及び面戸の開口孔によって外部と連通する。従って、野地板と屋根瓦との間における通気性が向上し、また、雨水等が浸入したときの排水性も向上する。
【００１５】
さらに、面戸は傾斜方向最下列の屋根瓦の下面に沿った上縁部を有するので、例えば、傾斜方向最下列の屋根瓦の下面が平坦面ではなく屋根瓦の下面と鼻桟との間に空隙が形成されている場合に、この屋根瓦と鼻桟との間の空隙は、面戸によって閉止される。従って、この空隙内への鳥や小動物の進入を確実に防止することができる。
【発明の効果】
【００１６】
本発明によれば、簡単で且つ安価な構造によって棟換気を良好に行うことができる。
【発明を実施するための最良の形態】
【００１７】
以下に、本発明に係る瓦屋根の棟換気構造及び通気構造の一実施形態を、図面に基づいて説明する。図１は本実施形態の瓦屋根の稜線部を示す外観斜視図、図２は図１の棟換気構造の分解斜視図、図３は図１の棟換気構造の断面図、図４は図１の瓦屋根の軒先部を示す要部断面図、図５は図４の要部分解斜視図、図６は他の態様の軒先部を示す要部断面図、図７はさらに他の態様の軒先部を示す要部分解斜視図、図８はさらに他の態様の軒先部を示す要部分解斜視図である。
【００１８】
図１及び図３に示すように、瓦屋根（以下、単に屋根と称する）１は、タルキ２上に固定された野地板３と、野地板３上に配置される多数の屋根瓦１０とを備える。野地板３は、木製の合板４（図４に示す）と、合板４上に敷設された耐水シート材５（図４に示す）とから構成されている。
【００１９】
図４及び図５に示すように、野地板３の軒端（屋根１の最下部である軒先）の上面には、複数本の鼻桟６が屋根１の傾斜方向と略直交して略直線状に並んで配置され、各鼻桟６は、釘（図示省略）によって野地板３に固定されている。また、鼻桟６の下方近傍には、軒樋１６が設けられている。
【００２０】
鼻桟６には、屋根１の傾斜方向６０の最下列（軒側先端）の屋根瓦１０の下端部（軒先側）が載せられ、この屋根瓦１０の下端部が鼻桟６に釘８によって固定されている。また、最下列の屋根瓦１０の上端部（棟側）は、野地板３に釘９によって固定されている。この最下列の屋根瓦１０の上端部には、屋根１の傾斜方向６０の直ぐ上（最下列から上方に２列目）の屋根瓦１０の下端が重ねられ、この２列目の屋根瓦１０の上端部も、釘９によって野地板３に固定されている。このように、屋根瓦１０は最下列から上方に順次重ねられ、野地板３に固定される。これにより、各屋根瓦１０と野地板３との間には、空間部１７が形成される。
【００２１】
各屋根瓦１０の上端部は、下方に曲折して野地板３と接するが、この上端部の下面には、野地板３との間に間隙を形成する凹部１１が部分的に形成されている。この凹部１１によって、屋根１の傾斜方向６０で隣接する空間部１７同士が連通する。すなわち、屋根瓦１０と野地板３との間には、屋根１の傾斜方向６０に沿って連通する空間部１７が確保されている。
【００２２】
各鼻桟６は、略角柱状であり、木材や樹脂材などによって形成されている。鼻桟６には、屋根１の傾斜方向６０に沿い且つ鼻桟６の幅方向を貫通する通気路としての貫通孔１２が複数形成されている。
【００２３】
鼻桟６の外側面６ａには、面戸３０が釘（図示省略）によって固定されている。面戸３０は、傾斜方向最下列の屋根瓦１０の下面に沿った上縁部３１ａを有し鼻桟６の外側面６ａを覆う基部３１と、基部３１の下端から屋根１の傾斜方向６０の下方へ曲折して野地板３の先端上面を覆う傾斜部３２と、傾斜部３２の下端から下方へ曲折して延びる鉛直部３３と、を備える。基部３１は、鼻桟６の外側面６ａを覆うことによって鼻桟６の耐久性を向上させる。また、傾斜部３２及び鉛直部３３によって、野地板３の先端部分の耐久性が向上すると共に、この先端部分から雨水等が流下し易くなる。
【００２４】
面戸３０の基部３１には、鼻桟６の貫通孔１２を開口し、傾斜方向最下列の屋根瓦１０と野地板３との間の空間部１７を貫通孔１２を介して外部に連通する開口孔３４が形成されている。
【００２５】
図３に示すように、屋根１の下方に区画される屋根裏空間７の下部は、多孔板や金網等で構成された換気口（図示外）によって外部と連通し、上部は、屋根１の稜線部に設けられた棟換気構造４０によって外部と連通している。また、屋根１の傾斜方向６０に沿って連通する空間部１７の上端も、棟換気構造４０によって外部と連通している。
【００２６】
棟換気構造４０は、屋根１の稜線部で対向して配置される一対の屋根瓦（以下、最頂部の屋根瓦と称する）１０と、換気通路４５と、棟瓦４１と、棟木５０と、棟木受け部材５１と、水進入抑制部材４４とを備えている。
【００２７】
図１〜図３に示すように、棟瓦４１は、屋根１の稜線部でその奥行き方向６１に沿って複数並んで配置されている。各棟瓦４１は、左右下方へ延びる一対の上壁４２と、上壁４２の両下端から下方へ延びる一対の側壁４３とを備える。左右の側壁４３は、最頂部の屋根瓦１０上に載置され、これら一対の屋根瓦１０からそれぞれ立ち上がる。棟瓦４１は、最頂部の屋根瓦１０上に配置された状態で換気通路４５を上方から覆う。棟瓦４１と最頂部の屋根瓦１０との間には、内側空間４６が区画される。換気通路４５は、最頂部の屋根瓦１０の間に区画され、棟瓦４１の内側空間４６と屋根裏空間７とを連通する。
【００２８】
棟瓦４１の一対の側壁４３には、それぞれ切り欠き形状の通気孔４７が形成されている。水進入抑制部材４４は、角柱形状を有し、棟瓦４１の内側空間４６内で最頂部の屋根瓦１０の上面に接着剤によって固定されている。この水進入抑制部材４４は、通気孔４７と対向した位置に側壁４３から離間して配置され、通気孔４７から換気通路４５への水の進入を抑制する。なお、本実施形態では、通気孔４７を有する棟瓦４１と有さない棟瓦４１とが混在しているが、全ての棟瓦４１に通気孔４７を設けてもよい。また、通気孔４７を切り欠き形状ではなく、貫通孔形状としていもよい。また、通気孔４７を一対の側壁４３の一方にのみ形成してもよい。さらに、水進入抑制部材４４を、断面Ｌ字形状や断面ロ字形状などに設定してもよい。
【００２９】
棟木受け部材５１は、上方に開口する略コ字形状を有する棟木収容部５２と、棟木収容部５２から下方に延びる脚部５３と、脚部５３の下端から左右に延びる支持部５４とを有し、屋根１の奥行き方向６１（図１に示す）に沿って所定の間隔をおいて複数配置されている。左右の支持部５４は、屋根１の稜線部（最頂部）の左右の野地板３上に載置され、釘（図示外）によって固定される。このように棟木受け部材５１を固定した状態で、棟木収容部５２は内側空間４６内に配置される。また、棟木５０は、角柱形状を有し、棟木収容部５２に装着され支持される。最頂部の屋根瓦１０上に載置された棟瓦４１は、釘５５によって棟木５０に固定される。
【００３０】
本実施形態によれば、棟瓦４１の内側空間４６が通気孔４７を介して外部と連通することにより、棟換気が行われる。また、棟瓦４１の内側空間４６内で通気孔４７と対向し且つ側壁４３から離間して屋根瓦１０に固定され、通気孔４７から換気通路４５への水の進入を抑制する水進入抑制部材４４を設けたので、雨水等が通気孔４７から換気通路４５を介して屋根裏空間７へ逆流して浸入することを抑制することができる。すなわち、棟瓦４１の側壁４３に通気孔４７を形成し、棟瓦４１の内側空間４６内に水進入抑制部材４４を設けるという簡単で安価な構造によって、棟換気を良好に行うことができる。
【００３１】
また、屋根瓦１０と野地板３と間の空間部１７は、その上端で換気通路４５と連通し、その下端で鼻桟６の貫通孔１２及び面戸３０の開口孔３４によって外部と連通する。すなわち、空間部１７は、屋根１の軒先において塞がれることなく、鼻桟６の貫通孔１２及び面戸３０の開口孔３４によって外部と連通する。従って、屋根瓦１０と野地板３との間における通気性が向上し、また、雨水等が浸入したときの排水性も向上する。
【００３２】
なお、屋根瓦１０の上端部を野地板３に直接固定せず、図６に示すように、瓦桟２２を介して固定するタイプの屋根瓦２１を使用した瓦屋根２０に対しても、上記鼻桟６は有効である。なお、この場合、瓦桟２２は、屋根１の傾斜方向６０で隣接する空間部１７同士を連通する連通部２３を有することが好ましい。
【００３３】
また、通気路は上記貫通孔１２に限定されるものではなく、屋根１の傾斜方向６０に延び、最下列の屋根瓦１０と野地板３との間の空間部１７を外部に連通するものであれば、様々な形状及び態様を適用することができる。例えば、図７に示すように、鼻桟６のうち野地板３と接する下面に、野地板３との間で所定の大きさの間隙を形成する凹状の貫通溝１４を通気路として形成すると共に、この貫通溝１４に対応する形状の開口孔３５を面戸３０に形成してもよい。また、鼻桟６を複数の部品によって構成してもよい。また、通気路（貫通孔１２や貫通溝１４）を有する鼻桟６のみを使用せず、通気路を有さない鼻桟と通気路を有する鼻桟６とを混在させて配列（例えば、交互に配列）してもよい。さらに、鼻桟６の外形は略角柱状に限定されるものではなく、例えば半円柱状や部分的に湾曲面を有する形状など様々な形状を採用することができる。
【００３４】
また、図８に示すように、傾斜方向最下列の屋根瓦１０の下面が平坦面ではなくその一部又は全部に湾曲面を有し、屋根瓦１０の下面と鼻桟６との間に空隙３７が形成されている場合であっても、面戸３０の基部３１の上縁部３１ａを屋根瓦１０の下面に沿った形状とする（基部３１に空隙３７を塞ぐ突部３６を設ける）ことにより、空隙３７を閉止して、この空隙３７内への鳥や小動物の進入を確実に防止することができる。
【産業上の利用可能性】
【００３５】
本発明は、様々な瓦屋根の棟換気構造及び通気構造に適用することができる。
【図面の簡単な説明】
【００３６】
【図１】本実施形態の瓦屋根の稜線部を示す外観斜視図である。
【図２】図１の棟換気構造の分解斜視図である。
【図３】図１の棟換気構造の断面図である。
【図４】図１の瓦屋根の軒先部を示す要部断面図である。
【図５】図４の要部分解斜視図である。
【図６】他の態様の軒先部を示す要部断面図である。
【図７】さらに他の態様の軒先部を示す要部分解斜視図である。
【図８】さらに他の態様の軒先部を示す要部分解斜視図である。
【符号の説明】
【００３７】
１：瓦屋根
３：野地板
６：鼻桟
６ａ：鼻桟の外側面
７：屋根裏空間
１０：屋根瓦
１２：貫通孔（通気路）
１４：貫通溝（通気路）
１７：空間部
２０：瓦屋根
３０：面戸
３１ａ：面戸の上縁部
３４：開口孔
４０：棟換気構造
４１：棟瓦
４３：棟瓦の側壁
４４：水進入抑制部材
４５：換気通路
４６：棟瓦の内側空間
４７：通気孔
【図１】
2008019638.tif 000003
【図２】
2008019638.tif 000004
【図３】
2008019638.tif 000005
【図４】
2008019638.tif 000006
【図５】
2008019638.tif 000007
【図６】
2008019638.tif 000008
【図７】
2008019638.tif 000009
【図８】
2008019638.tif 000010